(57)【要約】【課題】通常のホッチキスには蝶番がありホッチキスの針が出る部分から蝶番の距離でしか綴じることができない為、綴じ位置に制限がある。従来は上下部に着いている磁石で固定出来るのであるが、位置固定が不安定になるので、確実に位置固定が出来るのが望まれていた。【解決手段】ホッチキスの本体上部には針を留める際のハンドルと針装填具を設け、針装填具の先端には針を留める際に案内されるガイド部が設けられ、先端のガイド部に接した所に上部磁石埋め込み部が取付けられ、上部磁石埋め込み部の左右に距離を設け、上部磁石が埋め込まれ、ホッチキスの本体下部には針曲げ台を有し、紙を置く役目をし、左右には下部の磁石が埋め込まれ、磁石が埋め込まれている上部磁石埋め込み部とホッチキスの本体下部は磁力の影響を受けない部材を用いたフリーホッチキス。【選択図】図１
2015127086.tif 000002
【特許請求の範囲】
【請求項１】
ホッチキスの本体を上部と下部に分離し、磁石にて位置決めをするようにしたホッチキスに於いて、
（イ）ホッチキスの本体上部には針を留める際のハンドルと針装填具を設け、
（ロ）針装填具の先端には針を留める際に案内されるガイド部が設けられ、先端のガイド部に接した所に上部磁石埋め込み部が取り付けられ、
（ハ）上部磁石埋め込み部の左右に距離を設け、上部磁石が埋め込まれ、
（ニ）ホッチキスの本体下部には針曲げ台を有し、紙を置く役目をし、左右には下部の磁石を埋め込まれ、
（ホ）磁石が埋め込まれている上部磁石埋め込み部とホッチキスの本体下部は磁力の影響を受けない部材を用いている、
以上のように構成されたフリーホッチキス。
【請求項２】
埋め込まれた磁石にはネオジム磁石を用いた請求項１のフリーホッチキス。
【発明の詳細な説明】
【技術分野】
【０００１】本発明はホッチキスに関するものである。
【背景技術】
【０００２】  通常ホッチキスには針装填具と針受け台をつなぐ蝶番があり、ホッチキスの針が出る部分から蝶番までの距離でしか綴じることが出来ない。そこで、ホッチキスの上部とホッチキスの下部を分離して、綴じようとする書類のどこでも好きな場所においても綴じることができるように上下部に着いている磁石上部と下部を固定する事によって確実にホッチキスの針が下部の針を丸める受け部に入る（特許文献１）が知られていた。
【先行技術文献】
【０００３】
【特許文献１】特開２００７−１２５６８３号公報
【発明の概要】
【発明が解決しようとする課題】
【０００４】  特許文献１では本来、本体の上下部に取り付けられている磁石で固定出来るのであるが、位置固定が不安定になる事が考えられるので、確実に位置固定が出来るものが望まれていた。
本発明はその問題点を解決する為になされたものである。
【課題を解決するため手段】
【０００５】  ホッチキスの本体を上部と下部に分離し、磁石にて位置決めするようにしたホッチキスに於いて、
（イ）ホッチキスの本体上部には針を留める際のハンドルと針装填具を設け、
（ロ）針装填具の先端には針を留める際に案内されるガイド部が設けられ、先端のガイド部に接した所に上部磁石埋め込み部が取り付けられ、
（ハ）上部磁石埋め込み部の左右に距離を設け、上部磁石が埋め込まれ、
（ニ）ホッチキスの本体下部には針曲げ台を有し、紙を置く役目をし、左右には下部の磁石を埋め込まれ、
（ホ）磁石が埋め込まれている上部磁石埋め込み部とホッチキスの本体下部は磁力の影響を受けない部材を用いている、
以上のように構成されたフリーホッチキス。
【発明の効果】
【０００６】  従来のホッチキス本体を上下に分断して、綴じ位置の制限を無くすことが出来るが、その反面、ホッチキスの上下位置を正確にすることが難しく、製品化が出来なかった。しかし、本発明により上下の位置固定が出来、正確な位置で綴じることが出来るようになった。
【図面の簡単な説明】
【０００７】
【図１】本発明の本体を分離した斜視図
【図２】本発明の本体を合わせた斜視図
【図３】図２の状態の側面から見た斜視図
【図４】本発明の針装填具に上部磁石埋め込み板を取り付けた状態図
【図５】本発明の本体下部に綴じる紙を載せた状態斜視図
【発明を実施するための形態】
【０００８】  以下、本発明の実施の形態を説明する。
（イ）ホッチキスの本体上部（１）には図４に示されるように、針を留める際のハンドル（２）と針装填具（３）が設けられている。
（ロ）針装填具（３）には針（９）が挿入され、針装填具（３）の先端には針（９）を留める際に案内されるガイド部（１０）が設けられ、先端のガイド部（１０）に接した所に上部磁石埋め込み部（４）が取り付けられている。
（ハ）上部磁石埋め込み部（４）の左右には磁石埋め込み部の重量が磁力に影響しない程度に距離を設け上部のネオジム磁石（７）が埋め込まれ、磁力の影響を受けない部材に構成されている。
（ニ）ホッチキスの本体下部（５）には針曲げ台（６）を有し、紙を置く役目を果たしている。
（ホ）上部のネオジム磁石（７）と下部のネオジム磁石（８）はホッチキスの本体上部（１）とホッチキスの本体下部（５）を合体させる時は上下左右合致する位置に配置されている。この際、上部のネオジム磁石（７）と下部のネオジム磁石（８）による位置ぶれを防ぐ為に、埋め込まれた磁石の左右の取り付け位置の距離を保ち、磁力の影響を受けないように、Ｓ極とＮ極を逆にして針装填具（３）に取り付けられている。尚、埋め込まれた磁石の形状は丸型で同じ大きさ同じ形が好ましい。
（ヘ）埋め込まれた磁石の種類の一実例としてはネオジム磁石としたがコバルト磁石でも良い。
（ト）下部のネオジム磁石（８）は磁力の影響を受けない材質の部材で構成されるホッチキスの本体下部（５）に埋め込んである。
本発明は、以上のような構造である。
【０００９】  本発明を使用する時は、あらかじめ図２に示した様に本体上部（１）と本体下部（５）を磁石の磁力によって吸引させ固定した状態にしてあるホッチキスを上下に引き離すことは難しい。そこで本体上部（１）と本体下部（５）を上下互いに横にスライドさせる様にして離す。
次に紙面（１１）を綴じるには、図５の様に本体下部（５）の上に紙面（１１）を綴じる位置に合わせて置く。そして、紙面（１１）の下側の本体下部（５）に本体上部（１）を近づけて紙面（１１）上から綴じ位置に乗せると互いにネオジム磁石（７）（８）の強力な磁力により紙面（１１）の上に近づけた本体上部（１）が本体下部（５）に吸引され吸着され位置固定される。
本体上部（１）と本体下部（５）に紙面（１１）が挟まれた位置を確認後ハンドル（２）に設けられた針装填具（３）のガイド部（１０）の真上からハンドル（２）を押すことによって紙面（１１）を綴じることが出来る。
綴じた紙面（１１）からホッチキスを引き離す場合も本体上部（１）と本体下部（５）を互い違いにスライドさせて引き離し次に綴じたい紙面の下位置に本体下部（５）を置き、先ほどの操作を繰り返すことによって綴じることが出来る。
尚、本発明は使用しない時は、埋め込まれた磁石が強力な為、本体上部（５）と本体下部（５）とを吸着させた状態にしておくことが望ましい。
【符号の説明】
【００１０】１本体上部、２ハンドル、３針装填具、４上部磁石埋め込み部
５本体下部、６針曲げ台、７上部磁石、８下部磁石、９針、１０ガイド部
１１紙面
【図１】
2015127086.tif 000003
【図２】
2015127086.tif 000004
【図３】
2015127086.tif 000005
【図４】
2015127086.tif 000006
【図５】
2015127086.tif 000007